(57)【特許請求の範囲】
【請求項１】
浴室内に空気を送風あるいは浴室内の空気を循環する送風手段と負イオンを帯びた微細水滴を発生する負イオン発生手段と浴室内を換気する換気手段を備えた浴室乾燥機において、前記浴室乾燥機は前記負イオン発生手段を内蔵し、前記送風手段を通じて浴室内に負イオンを帯びた微細水滴を含んだ空気を送風し体感温度を高めることを特徴とする浴室乾燥機。
【請求項２】
負イオン発生手段は水を微細水滴に分裂させる水分裂部を備えたことを特徴とする請求項１記載の浴室乾燥機。
【請求項３】
水分裂部は水を壁面に高速で当てることにより負イオンを含む微細水滴に分裂させる構成であることを特徴とする請求項２記載の浴室乾燥機。
【請求項４】
浴室乾燥機の熱源はボイラーであることを特徴とする請求項２記載の浴室乾燥機。
【請求項５】
浴室内に送風あるいは浴室内の空気を循環する送風手段と浴室内を換気する換気手段と内部を温水または水が循環する熱交換器を備えた浴室乾燥機において、前記浴室乾燥機は水を微細水滴に分裂させる水分裂部を設けた負イオン発生手段を備え、前記水分裂部に供給される水または温水は前記熱交換器に供給する水の一部であることを特徴とする請求項４記載の浴室乾燥機。
【請求項６】
浴室内に送風あるいは浴室内の空気を循環する送風手段と浴室内を換気する換気手段と内部を温水または水が循環する熱交換器と水を負イオンを含んだ微細水滴に分裂させる水分裂部を設けた負イオン発生手段を備えた浴室乾燥機において、前記負イオン発生手段は循環水を溜めるタンクを有し、前記タンクには排水管を備えたことを特徴とする請求項４記載の浴室乾燥機。
【請求項７】
負イオン発生手段は水分裂部と給水弁を有した給水管と排水弁を有した排水管とタンクと水位・温度または時間を検知する自動検知部を備え、前記自動検知部はある一定水位またはある一定温度または一定時間を検知したとき前記給水弁と前記排水弁へ信号を送信し前記負イオン発生手段への自動給排水を行うことを特徴とした請求項６記載の浴室乾燥機。
【請求項８】
浴室内に吹出グリルを備え、浴室内に空気を送風あるいは浴室内の空気を循環する送風手段と浴室内を換気する換気手段と負イオン発生手段を備えた室外機を有し、前記吹出グリルと前記室外機は壁内を貫通し浴室内から前記室外機に向かう換気用風路と前記室外機から浴室内に向かう送風用風路の２つの風路に区画されたダクトで連結され、前記送風手段を通じて浴室内に負イオンを送風することを特徴とする換気扇。
【請求項９】
室内機は浴室内に送風または浴室内の空気を循環する送風手段と内部に温水または冷水が循環する熱交換器を備え、室外機は浴室内を換気且つ室外機から浴室内に送風する換気手段と、負イオン発生手段と、浴室内の換気と送風を切換または同時に行う作用を有するダンパーを備えたことを特徴とする請求項８記載の浴室乾燥機。
【請求項１０】
浴室内を換気且つ室外機から浴室内に送風する換気手段と負イオン発生手段と浴室内の換気と送風を切換または同時に行う作用を有するダンパーを備えた室外機と、吹出グリルと、前記吹出グリルと前記室外機は壁内を貫通し浴室内から室外機に向かう換気用風路と室外機から浴室内に向かう送風用風路の２つの風路に区画されたダクトで連結されたことを特徴とする請求項１記載の浴室乾燥機。
【請求項１１】
タンク上部に位置し遠心力により水を吸い上げるポンプと前記ポンプと連結された板と平行に位置する板の組み合わせによる回転板と前記回転板の周囲に衝突板を備えた水分裂部により構成される負イオン発生手段と、換気用羽根と、前記換気用羽根を駆動する換気用電動機より構成される換気手段により水分裂部に送風されることを特徴とする請求項９または１０記載の浴室乾燥機。
【請求項１２】
換気用羽根とポンプが同一の換気用電動機で駆動することを特徴とした請求項１１記載の浴室乾燥機。
【請求項１３】
水分裂部は超音波発振子であることを特徴とする請求項２記載の浴室乾燥機。
【発明の詳細な説明】
【０００１】
【発明の属する技術分野】
本発明は、衣類および浴室内を乾燥または換気・暖房するために使用される浴室乾燥機または浴室内の高湿度の空気を外部に排気する換気扇に関するものである。
【０００２】
【従来の技術】
近年、夫婦共稼ぎの増加により夜間等を利用して洗濯物を室内にて乾かしたいとの要望が増大してきた。また冬場等寒い時期に浴槽に入る前の浴室内が冷えており入浴前の浴室を暖めておきたいという要望が増加してきている。さらにユニットバスの台頭により機器の省スペース設置の要望が増加している。
【０００３】
一方、近年健康志向が高まるなか、空気イオンの利用が注目されている。空気イオンは我々の仕事の能率や情緒に対して明らかに影響を与える。特に負イオンは精神を安定させ、呼吸器の機能を高める効果を持つといわれている。
【０００４】
水滴が空中で分裂するとき、より正確には、水滴が障壁である金属板に衝突して微細水滴に分裂するとき、付近の空気中に負イオンが発生し、微細水滴が負イオンと等量の正電荷を得る。この現象は、レナード効果（Ｌｅｎａｒｄ’  ｅｆｆｅｃｔ）として古くから知られている。その後、シンプソン（Ｓｉｍｍｐｓｏｎ）によって確かめられた。
【０００５】
浴室内に負イオンを発生させる装置として、例えば特開平８−６６４５６号におけるミスト発生装置に記載され開示されている。
【０００６】
図１０に先行例の構成を示す。円板状のベース板１０１の一方の面側に配設されたモーター１０２とベース板１０１とベース板１０１の他方の面側に互いに微少間隔を隔ててベース板１０１に平行に積層された１枚以上の円環板１０３とを有しモーター１０２により回転駆動される羽根車１０４と、羽根車１０４の径方向外方に、羽根車１０４の周方向に互いに間隔を隔て、且つ羽根車１０４の回転方向に関して後退翼状に配設された複数の衝突板１０５とを備えた構成となっている。
【０００７】
羽根車１０４の上方位置には外部貫通孔１０６が設けられ、外部貫通穴１０６より水または温水が羽根車１０４中心部に供給される。モーター１０２により羽根車１０４は回転運動を行い供給された水または温水は遠心力により衝突板１０５に衝突し、水または温水は微細水滴つまりはミストとなり、外部に供給される。
【０００８】
【発明が解決しようとする課題】
上記のような構成であるとミストつまりは負イオンを含む空気は羽根車の回転運動により水分裂され、さらに羽根車の回転運動により浴室内に供給する構成のため、浴室内全体にミストつまりは負イオンを含んだ空気で満たすために羽根車を大きくするか、羽根車を高回転で駆動する必要がある。羽根車を大きくすることは装置自体が大型化し、一方羽根車を高回転で駆動することは騒音の増加につながる。また構造上浴室内に装置を置く例が一般的なため浴室内の床付近に一定の容積を占有し、このためユニットバスによっては取付が困難な場合が生じる虞がある。
【０００９】
本発明の目的は、浴室内の空間を占有せず、浴室内を負イオンを含んだ空気で満たすことであり、このため浴室内に多くの容積を必要としない浴室乾燥機または換気扇に負イオン発生手段を備えた装置を提供することに有る。
【００１１】
【課題を解決するための手段】
上記目的を解決するため、本発明の浴室乾燥機においては、浴室内に空気を送風あるいは浴室内の空気を循環する送風手段と負イオンを帯びた微細水滴を発生する負イオン発生手段と浴室内を換気する換気手段を備えた浴室乾燥機において、浴室乾燥機は前記負イオン発生手段を内蔵し、前記送風手段を通じて浴室内に負イオンを帯びた微細水滴を含んだ空気を送風し体感温度を高める構成とする。
【００１２】
また、負イオン発生手段は水を微細水滴に分裂させる水分裂部を備えた構成とする。
【００１３】
また、水分裂部は水を壁面に高速で当てることにより負イオンを含む微細水滴に分裂させるものである。
【００１４】
また、浴室乾燥機の熱源はボイラーとする。
【００１５】
また、浴室乾燥機は浴室内に送風あるいは浴室内の空気を循環する送風手段と浴室内を換気する換気手段と内部を温水または水が循環する熱交換器と水を微細に分裂する水分裂部を備えた構成であり、水分裂部に供給される水または温水は熱交換器に供給する水の一部である。
【００１６】
また、浴室乾燥機は浴室内に送風あるいは浴室内の空気を循環する送風手段と浴室内を換気する換気手段と内部を温水または水が循環する熱交換器と水を負イオンを含んだ微細水滴に分裂させる水分裂部を設けた構成であり、負イオン発生手段は循環水を溜めるタンクを有し、タンクには排水管を備えた構成となる。
【００１７】
また、負イオン発生手段は水分裂部と給水弁を有した給水管と排水弁を有した排水管とタンクと水位・温度または時間を検知する自動検知部を備えた構成とする。
【００１８】
また、浴室内に吹出グリルを備え、室外機を有し、吹出グリルと室外機は壁内を貫通し浴室内から室外機に向かう換気用風路と室外機から浴室内に向かう送風用風路の２つの風路に区画されたダクトで連結された構成とする。
【００１９】
また、室内機は浴室内に送風または浴室内の空気を循環する送風手段と内部に温水または冷水が循環する熱交換器を備え、室外機は浴室内を換気且つ室外機から浴室内に送風する換気手段と、負イオン発生手段と、浴室内の換気と送風を切換または同時に行う作用を有するダンパーを備えた構成とする。
【００２０】
また、換気扇は浴室内を換気且つ室外機から浴室内に送風する換気手段と負イオン発生手段と浴室内の換気と送風を切換または同時に行う作用を有するダンパーを備えた室外機、および吹出グリルとダクトで構成され、吹出グリルと前記室外機は壁内を貫通し浴室内から室外機に向かう換気用風路と室外機から浴室内に向かう送風用風路の２つの風路に区画されたダクトで連結された構成とする。
【００２１】
また、タンク上部に位置し遠心力により水を吸い上げるポンプと、ポンプと連結された板と平行に位置する板の組み合わせによる回転板と、回転板の周囲に衝突板を備えた水分裂部と、換気用羽根と、換気用羽根を駆動する換気用電動機より構成される。
【００２２】
また、換気用羽根とポンプが同一の換気用電動機で駆動する構成としたものである。
【００２３】
また、超音波発振子を水分裂部としたものである。
【００２５】
【発明の実施の形態】
本発明の浴室乾燥機は浴室内に空気を送風あるいは浴室内の空気を循環する送風手段と負イオンを帯びた微細水滴を発生する負イオン発生手段と浴室内を換気する換気手段を備え、且つ負イオン発生手段を内蔵したものであるため、送風手段を通じて浴室内に負イオンを帯びた微細水滴を含んだ空気を送風し体感温度を高めることができる。
【００２６】
また、負イオン発生手段は水を微細水滴に分裂させる水分裂部を備えたものであるため、うるおいのある負イオンが供給できる。
【００２７】
また、浴室乾燥機の熱源がボイラーである温水式浴室乾燥機に水を微細水滴に分裂させる水分裂部を設けた負イオン発生手段を備えたもので、水分裂部に供給される水または温水は熱交換器に供給する水の一部であるため、従来の温水式浴室乾燥機の施工に比較しても同等の施工工数で取付ができる。
【００２８】
また、水分裂部を有する負イオン発生手段は循環水を溜めるタンクを備え、タンクには排水管を備えたものであり、水分裂部で噴霧する水または水滴を溜めることができ、また水を排水することもできる。
【００２９】
また、負イオン発生手段は水分裂部と給水弁を有した給水管と排水弁を有した排水管とタンクと水位・温度または時間を検知する自動検知部を備え、自動検知部はある一定水位またはある一定温度または一定時間を検知したとき給水弁と排水弁へ信号を送信するため、負イオン発生手段への自動給排水を行うことにより、ポンプの空運転防止さらにタンク内の水の凍結防止およびタンク内雑菌の繁殖を防ぐことができる。
【００３０】
また、浴室内に吹出グリルを備える構成で、室外機を有し、吹出グリルと室外機は壁内を貫通し浴室内から室外機に向かう換気用風路と室外機から浴室内に向かう送風用風路の２つの風路に区画されたダクトで連結させることにより、負イオンを含んだ空気を浴室内に送気することができる。
【００３１】
また、室内機は浴室内に送風または浴室内の空気を循環する送風手段と内部に温水または冷水が循環する熱交換器を備え、室外機は浴室内を換気且つ室外機から浴室内に送風する換気手段と、負イオン発生手段とダンパーを備えたことにより、浴室内の換気と負イオンを含んだ空気の送風の切換または同時運転を行うことができる。
【００３２】
また、換気扇は浴室内を換気且つ室外機から浴室内に送風する換気手段と負イオン発生手段と浴室内の換気と送風を切換または同時に行う作用を有するダンパーを備えた室外機を備えているため、負イオンを含んだ空気を送気することができる換気扇が提供できる。
【００３３】
また、室外機は換気手段と水分裂部により構成され、タンク上部に位置し遠心力により水を吸い上げるポンプと、ポンプと連結された板と平行に位置する板の組み合わせによる回転板と、回転板の周囲に衝突板を備えた水分裂部と、換気用羽根と、換気用羽根を駆動する換気用電動機より構成される換気手段により水分裂部に送風される構成のため、省スペースの負イオン発生手段が得られ、負イオン発生手段を備えた浴室乾燥機または換気扇が小型化できる。
【００３４】
また、換気用羽根とポンプが同一の換気用電動機で駆動するため、小型化・コストダウンさらにはランニングコストの低減ができる。
【００３５】
また、水分裂部に超音波発振子を使うことにより安価で小型な浴室乾燥機または換気扇が提供できる。
【００３６】
【実施例】
（実施例１）
以下に本発明の実施の形態を図によって説明する。図１および図２、図３に示すように、浴室１の外壁２６にダクト１７を介し、浴室１側には熱交換器９と送風手段７を備えた吹出グリル２が配置され、一方屋外側には換気手段８と負イオン発生手段５を有した室外機３が配置され、さらにボイラー４が室外機３と吹出グリル２に水回路を介して接続されている。
【００３７】
浴室１内の空気は送風手段７により吹出グリル２を介し熱交換器９を通り浴室１内に吹出される。一方換気手段８により浴室１内の空気は吹出グリル２を通り内部が２区画に区分されたダクト１７の１区画である換気用風路１７ａを通過し室外機３に入りダンパー６により外部に排気される場合と、室外機３より送風用ダクト１７ｂを介し再び吹出グリル２に入り浴室１内に吹出される場合とがある。室外機３内には負イオン発生手段５が備えられ室外機３から浴室１に送風される場合、負イオン発生手段５が動作し、換気手段８により浴室１内から換気用ダクト１７ａを通過した空気が負イオン発生手段５を通り送風用風路１７ｂを通過し吹出グリル２より浴室１内に負イオンを帯びた空気を送気する。
【００３８】
室外機３は水分裂部１１とタンク１２とダンパー６と換気手段８より構成されている。タンク１２の上方に水分裂部１１が配置され、水分裂部１１は換気用電動機１９とポンプ１８と回転板２２と衝突板２０で構成されている。ポンプ１８は逆円錐形状の筒であり下端に小さな穴を上端に大きな穴を有している。ポンプ１８の上端は回転板２２と一体であり、回転板２２は２枚以上の板をポンプ１８の中心軸に対して垂直に配置した形状となっておりポンプ１８に接する回転板には逆円錐筒の内部空間部分に連通する穴が設けられている。回転板２２は電動機１９に連結されており、電動機１９が駆動することにより回転板２２とポンプ１８が回転することとなる。一方ポンプ１８の下端部は水または温水が満たされたタンク１２の内部に位置されており、電動機１９が動作することにより回転板２２と一体化されたポンプ１８が回転運動を行い遠心力によりタンク１２内部より水を吸い上げる。吸い上げられた水はポンプ１８の下端部より上端部に移動し、ポンプ１８と接する回転板２２の連通穴を通り２枚以上の平行な板により構成される回転板２２の板間より回転軸に対して放射状に水滴を噴射する。回転板２２の周囲には円周状に取り巻いて隙間を有する衝突板２０が設けられており、回転板２２より噴射された水は衝突板２０に衝突し負イオンを含む微細水滴に分裂する。
【００３９】
また、換気手段８つまりは電動機１９により換気用羽根２１が動作することになり、換気用送風路１７ａより室外機３に導かれた浴室１からの空気は、隙間を有する衝突板２０の隙間を通過して外周より内部に導かれ換気用羽根２１に吸込まれるが、このとき衝突板２０近傍で回転板２２より噴射された水および衝突板２０に衝突してできた水滴と交わり、負イオンを帯びた空気を換気用羽根２１に導くこととなる。換気用羽根２１の吹出し側は排気風路２３と循環風路２４の２つの風路に区画されており、２つの風路と換気用羽根２１の吹出し側との間には排気風路２３と循環風路２４にまたがりダンパー６が設けられている。排気風路２３は換気用羽根２１と室外機３外部を結ぶ風路であり、一方循環風路２４は換気用羽根２１と送風用風路１７ｂを結ぶものである。換気用羽根２１から吹出された空気はダンパー６が動作することにより排気風路２３のみに吹出される場合と循環風路２４のみに吹出される場合と排気風路２３と循環風路２４同時に吹出される場合とに切り替えられる。
【００４０】
これより浴室乾燥機として数々の運転パターンを備えることとなる。
【００４１】
第１の運転パターンは吹出グリル２内の送風手段７が動作し、ボイラー４より水回路１０を介し温水が熱交換器９に流れ、室外機３では換気手段８が動作つまり換気用電動機１９が駆動し換気用羽根２１が回転し、ダンパー６が循環風路２４を塞ぎ排気風路２３を開口する。この場合浴室１より吸込まれた空気の一つは送風手段７を通りボイラー４から温水を供給された熱交換器９を通り浴室内に吹出され、一つは浴室１からダクト１７の換気用風路１７ａを通り換気手段８つまりは換気用羽根２１からダンパー６により開口された排気風路２３を通り屋外に排気される。
【００４２】
第２のパターンは第１のパターンに対し、給水管２５からタンク１２に水または温水が送り込まれタンク１２内が水または温水により満たされた状態で水分裂部１１が動作、すなわち換気用電動機１９が駆動しポンプ１８および回転板２２が駆動するもので、このときダンパーは排気風路２３と循環風路２４を両方開口する位置とする。この場合浴室１より吸込まれた空気は、一つは送風手段７を通りボイラー４から温水を供給された熱交換器９を通り浴室１内に吹出され、一つは浴室１からダクト１７の換気用風路１７ａを通り換気手段８つまりは換気用羽根２１からダンパー６により開口された排気風路２３を通り屋外に排気され、一つは浴室１からダクト１７の換気用風路１７ａを通り水分裂部１１の衝突板２０を通過し負イオンを帯びた微細水滴を含んだ空気となり換気用羽根からダンパー６により開口された循環風路２４を通りダクト１７内の送風用風路１７ｂを通過し吹出グリル２の熱交換器９を介して浴室１内に吹出される。
【００４３】
第３のパターンは吹出グリル２内の送風手段７が動作し、ボイラー４より水回路１０を介し温水が熱交換器９に流れるものである。この場合浴室１より吸込まれた空気は、送風手段７を通りボイラー４から温水を供給された熱交換器９を通り浴室１内に吹出される。
【００４４】
第４のパターンは第３のパターンに対し給水管２５からタンク１２に水または温水が送り込まれタンク１２内が水または温水により満たされた状態で水分裂部１１が動作、すなわち換気用電動機１９が駆動しポンプ１８および回転板２２が駆動するもので、このときダンパー６は排気風路２３を塞ぎ循環風路２４を開口する。この場合浴室１より吸込まれた空気は、一つは送風手段７を通りボイラー４から温水を供給された熱交換器９を通り浴室１内に吹出され、一つは浴室１からダクト１７の換気用風路１７ａを通り水分裂部１１の衝突板２０を通過し負イオンを帯びた微細水滴を含んだ空気となり換気用羽根２１からダンパー６により開口された循環風路２４を通りダクト１７内の送風用風路１７ｂを通過し吹出グリル２の熱交換器９を介して浴室１内に吹出される。
【００４５】
第５のパターンは吹出グリル２内の送風手段７が動作し、室外機３では換気手段８が動作つまり換気用電動機１９が駆動し換気用羽根２１が回転し、ダンパー６が循環風路２４を塞ぎ排気風路２３を開口する。この場合浴室１より吸込まれた空気は、一つは送風手段７を通りボイラー４から温水を供給された熱交換器９を通り浴室１内に吹出され、一つは浴室１からダクト１７の換気用風路１７ａを通り換気手段８つまりは換気用羽根２１からダンパー６により開口された排気風路２３を通り屋外に排気される。
【００４６】
第６のパターンは第５のパターンに対し給水管２５からタンク１２に水または温水が送り込まれタンク１２内が水または温水により満たされた状態で水分裂部１１が動作、すなわち換気用電動機１９が駆動しポンプ１８および回転板２２が駆動するもので、このときダンパー６は排気風路２３と循環風路２４を両方開口する位置とする。この場合浴室１より吸込まれた空気は、一つは送風手段７を通り熱交換器９を通過し浴室１内に吹出され、一つは浴室１からダクト１７の換気用風路１７ａを通り換気手段８つまりは換気用羽根２１からダンパー６により開口された排気風路２３を通り屋外に排気され、一つは浴室１からダクト１７の換気用風路１７ａを通り水分裂部１１の衝突板２０と通過し負イオンを帯びた微細水滴を含んだ空気となり換気用羽根からダンパー６により開口された循環風路２４を通りダクト１７内の送風用風路１７ｂを通過し吹出グリル２の熱交換器９を介して浴室１内に吹出される。
【００４７】
第７のパターンは室外機３で換気手段８が動作つまり換気用電動機１９が駆動し換気用羽根２１が回転し、ダンパー６が循環風路２４を塞ぎ排気風路２３を開口する。この場合浴室１より吸込まれた空気は、浴室１からダクト１７の換気用風路１７ａを通り換気手段８つまりは換気用羽根２１からダンパー６により開口された排気風路２３を通り屋外に排気される。
【００４８】
水分裂部１１下部にはタンク１２が備えられている。タンク１２はボイラー４から水道水用と温水用の２本の給水管２５が備えられ、一方排水管１３が備えられている。給水管２５には給水弁１４が、排水管１３には排水弁１５が各々備えられ、給水弁１４と排水弁１５は自動検知部１６に通じている。自動検知部１６は水位、温度、時間を検知しそれぞれ給水弁１４および排水弁１５を動作させる。動作の状況を図７に記す。
【００４９】
すなわち運転信号が入ると自動検知部１６により給水弁１４が開き水または温水がタンク１２内に入り、タンク１２内水位上限（Ｈ）まで水が溜まると自動検知部１６により給水弁１４が閉じる。一方、蒸発またはポンプ１８が運転することにより水位が下限（Ｌ）まで下がると自動検知部１６が給水弁１４を開くよう指示を出し給水弁１４が開く制御としたものである。
【００５０】
一方、温度の制御としては、運転信号が入ると給水弁１４が開き水または温水がタンク１２内に入ってくる。水位が上限（Ｈ）までくると自動検知部１６が検知し給水弁１４に信号を送り給水弁１４が閉じる。このときタンク１２内の温度がある一定温度ｔ度より低い場合、自動検知部１６より排水弁１５に信号が送られ排水弁１５が開く。タンク１２内水位が下がってきて水位最下限（ＬＬ）つまりタンク１２内の水または温水がなくなったことを自動検知部１６が検知すると排水弁１５を閉じるよう信号を送り排水弁１５が閉じる。そして再び給水弁１４が開くといった制御を行う。つまり水温が低いことによるタンク１２内の凍結を防止することを目的とした制御で、タンク１２内の水温がｔ度より常に低いと水または温水が常に循環されることとなる。
【００５１】
一方、時間の制御としては運転信号が入ると給水弁１４が開きタンク１２内に水または温水が給水される。水位が上昇しタンク１２内水位が上限（Ｈ）までくると自動検知部１６が検知し給水弁１４に信号を送り給水弁１４は閉じる。この給水弁１４が閉じた状態より２４時間経過したと自動検知部１６が判断すると排水弁１５に信号を送り排水弁１５が開く。タンク１２内水位が低くなり水位最下限（ＬＬ）つまりタンク１２内の水または温水がなくなると自動検知部１６より排水弁１５に信号が送られ排水弁１５が閉じ、再び給水弁１４が開きタンク１２に水または温水を送水する。これはタンク内の水または温水に溜まったゴミまたは繁殖する雑菌を排水することが目的であり、蒸発またはポンプ１８の動作によるタンク１２水位の減少により給水弁１４の開閉が行われる制御とは別に存在し、最初に給水弁１４が閉じた時間よりその後何回給水弁１４が閉じようとも２４時間したら定期的に行われるものである。なお本実施例では暫定的に２４時間としたが、設置する場所によっても当然時間は変わる。
【００５２】
図４は水分裂部１１の衝突板２０が隙間を持たない板の場合を示している。衝突板２０は下方が筒形状をし開放され且つ回転板２２を覆う形状であり、上部が換気用羽根２１のケーシングに接続された形状となっている。換気用電動機１９が駆動することによりポンプ１８より吸い上げられた水または温水が回転板２２から放射状に噴射され衝突板２０の内面に衝突し、負イオンを含んだ微細水滴に分裂する。一方、換気用羽根２１が回転することにより換気用風路１７ａを通過した空気は衝突板２０の開放された下部より入り、負イオンを含んだ微細水滴と接触し換気用羽根２１に導かれる。ダンパー６の操作によりこの負イオンを帯びた微細水滴を含んだ空気は排気風路２３または循環風路２４または排気風路２３と循環風路２４の両方に誘導される。
【００５３】
以上は浴室１の外壁２６をダクト１７を介して浴室側を吹出グリル２、屋外側を室外機３としたが、天井埋込型の浴室乾燥機の場合でも同様である。天井埋込型浴室乾燥機の場合を図５と図６に示す。天井埋込型の場合壁貫通型に対してダクト１７がなくなり、熱交換器９と送風手段７が室外機つまりは本体３に備えることとなる。この場合浴室１内には内容物を持たない吹出グリル２が配置される。
【００５４】
なお、本実施例では壁貫通型では吹出グリル２内に送風手段７と熱交換器９を備え、一方天井埋込型の場合吹出グリル２内には何も持たない構造となっているが、逆の場合でも何ら問題はない。
【００５５】
なお、実施例では水分裂部１１に回転板２２を用いたが噴射ノズルを用いてもよく、その作用効果に差異を生じない。
【００５６】
また、実施例には負イオン発生手段５に水分裂部１１を用いたが、水分裂部１１に代えてコロナ放電を用いてもよく、その作用効果に差異は生じない。
【００５７】
（実施例２）
つぎに本発明の第２実施例について図８を参照しながら説明する。
【００５８】
なお、第１実施例と同一部分については、同一符号を付して詳細な説明は省略する。
【００５９】
図に示すように浴室１内には吹出グリル２が備えられ外壁２６を貫通してダクト１７により吹出グリル２と室外機３が連結されている。室外機３は換気手段８とダンパー６と負イオン発生手段５有し、負イオン発生手段５は水回路１０によりボイラー４と連結された構成となっている。
【００６０】
換気手段８が動作すると浴室１より吹出グリル２を通り２区画に区画されたグリル１７の換気用風路１７ａを通り室外機３に導かれる。ダンパー６が循環風路２４を塞ぎ排気風路２３を開口すると室外機３に導かれた空気は排気風路２３を通り屋外に排気される。またダンパー６が排気風路２３を塞ぎ循環風路２４を開口した場合室外機３に導かれた空気は負イオン発生手段５より発する負イオンを含んだ空気と混じり循環風路２４を経てダクト１７の１区画である送風用風路１７ｂを通り吹出グリル２より浴室１内に吹出される。
【００６１】
上記構成は実施例１に対し吹出グリル２内の熱交換器９および送風手段７をなくした構成となり、浴室１内の空気を室外に排出する機能つまりは換気扇に、負イオンを発生する機能を付加したものとなる。
【００６２】
（実施例３）
つぎに本発明の第３実施例について図９を参照しながら説明する。
【００６３】
なお、第１実施例と同一部分については、同一符号を付して詳細な説明は省略する。
【００６４】
図に示すように、室外機３は換気手段８と負イオン発生手段５から構成されており、換気手段８は換気用風路１７ａと送風用風路１７ｂと排気風路２３と循環風路２４とダンパー６と換気用電動機１９と換気用羽根２１から構成されている。一方、負イオン発生手段５は水分裂部１１として超音波発振子２７とタンク１２と給水管２５と給水弁１４と排水管１３と排水弁１５を有し、超音波発振子２７より発生した負イオンを含む空気が換気用風路１７ａからの空気と交わり換気用羽根２１に導かれる構成となっている。タンク１２には給水管２５と給水弁１４および排水管１３と排水弁１５、さらには自動検知部１６が備えられ、先に説明したように図７に示すフロー動作を行う。また図７−ｄに示す時間制御を短くすることにより、タンク１２内の菌の繁殖の低減とともに超音波発振子２７の表面をゴミ等から守ることができる。また超音波発振子２７を使用することにより小型な負イオン発生手段５が提供できる。
【００６５】
なお、実施例では負イオン発生手段５として超音波発振子２７を用いたが、２流体ノズルを用いてもよく、その作用効果に差異は生じない。
【００６７】
【発明の効果】
以上のように本発明によれば、浴室内に空気を送風あるいは浴室内の空気を循環する送風手段と負イオンを帯びた微細水滴を発生する負イオン発生手段と浴室内を換気する換気手段を備えたもので、浴室内に送り込まれる負イオンを帯びた微細水滴を含んだ空気が高湿度の空気となり体感温度も高くなるという効果のある浴室乾燥機が提供できる。
【００６８】
また、浴室乾燥機の熱源はボイラーであるため、水を微細水滴に分裂させる水分裂部に供給する水または温水をボイラーから取ることができるため、浴室乾燥機の施工と同程度の時間で施工することができ、さらに供給水温度を調節することにより浴室内の相対湿度も調整できる効果が得られる。
【００６９】
さらに、負イオン発生手段における水分裂部の循環水を溜めるタンクには排水管が備えられているためタンクに溜まった雑菌あるいはゴミ等を排水することができるという効果が得られる。
【００７０】
また、時間・温度・水位を検知する自動検知部が給水弁・排水弁を制御することによりタンク内の清掃、雑菌の繁殖の防止、凍結防止、オーバーフローによる水漏れ防止、ポンプ空運転防止等の効果が得られる。
【００７１】
また、室外機の換気手段にダンパーを設けることにより、室外機側では換気のみ、浴室内への送風のみ、および換気と浴室内への送風同時運転ができ、浴室乾燥機としてはこれに送風手段つまりは負イオンの送風入／切および熱交換器へボイラーから温水の供給有無という多彩な組み合わせ運転ができるといった効果が得られる。
【００７２】
また、水分裂部と換気手段を有する室外機と吹出グリルにより負イオンを含んだ空気を送出する換気扇を提供できる。
【００７３】
さらに、周囲に衝突板を有した回転円板とポンプを一体化した水分裂部を設けることにより、安価で小型化できる浴室乾燥機を提供できる。
【００７４】
さらに、換気用羽根とポンプが同一の換気用電動機で駆動するため、小型で安価なさらには消費電力を押さえられるといった効果がある。
【００７５】
また、水分裂部を超音波発振子とすることにより、小型化の可能で安価な浴室乾燥機が提供できる。
【図面の簡単な説明】
【図１】本発明の第１実施例の壁貫通型浴室乾燥機の設置状態を示すシステム断面図
【図２】同壁貫通型浴室乾燥機の設置状態を示す断面図
【図３】同壁貫通型浴室乾燥機の水分裂部を適用した室外機を示す断面図
【図４】同壁貫通型浴室乾燥機の他の水分裂部を適用した室外機を示す第２の断面図
【図５】同天井埋込型浴室乾燥機の設置状態を示すシステム断面図
【図６】同天井埋込型浴室乾燥機の設置状態を示す断面図
【図７】（ａ）同フロー図における浴室乾燥機のタンク水位の位置関係を示す図
（ｂ）同タンク水位変化による浴室乾燥機の動作フロー図
（ｃ）同タンク内温度変化による浴室乾燥機の動作フロー図
（ｄ）同時間経過による浴室乾燥機の動作フロー図
【図８】同第２実施例の壁貫通型換気扇の設置状態を示すシステム断面図
【図９】同第３実施例の壁貫通型浴室乾燥機の室外機を示す断面図
【図１０】従来の浴室内に負イオンを発生するミスト発生器を示す設置断面図
【符号の説明】
１      浴室
２      吹出しグリル
３      室外機（本体）
４      ボイラー
５      負イオン発生手段
６      ダンパー
７      送風手段
８      換気手段
９      熱交換器
１１    水分裂部
１２    タンク
１３    排水管
１４    給水管
１５    排水弁
１６    自動検知部
１７    ダクト
１７ａ  換気用風路
１７ｂ  送風用風路
１８    ポンプ
１９    換気用電動機
２０    衝突板
２１    換気用羽根
２２    回転板
２７    超音波発振子
【図１】
0003756055.tif 000002
【図２】
0003756055.tif 000003
【図３】
0003756055.tif 000004
【図４】
0003756055.tif 000005
【図５】
0003756055.tif 000006
【図６】
0003756055.tif 000007
【図７】
0003756055.tif 000008
【図８】
0003756055.tif 000009
【図９】
0003756055.tif 000010
【図１０】
0003756055.tif 000011